(57)【要約】【課題】ボディに取り付けた場合に視認され難い凹状部を有するものとし、外観を高めると共に、雨水が凹状部からボディ内に入ることを防止することができるサイドウインカーを提供する。【解決手段】ランプ１を、弾性係止片１ｂの先端側の揺動移動を確保すべく対向面部３ｃに凹状の凹状部３ｊを形成するにあたり、凹状部３ｊを中間部が最も深くなるように略Ｖ字状に形成して凹状部３ｊが縁部に至る前に対向面部３ｃと面一状になるようにしたので、ボディＢに取り付けた状態で凹状部３ｊが外側に露出しないものとすることができる。この結果、意匠性の高いものにできるうえ、凹状部３ｊから浸水することを防止することができる。【選択図】図１
2008062870.tif 000002
【特許請求の範囲】
【請求項１】
被取付部材に穿設の取り付け孔に取り付けされる射出成型体であって、
該射出成型体は、被取付部材に対向する対向面部と、
該対向面部に向いた先端部が弾性変形をして取り付け孔端縁に係止される弾性係止片と、
該弾性係止片先端部の弾性変形を許容するため対向面部に形成された凹状部とを有して構成するにあたり、
前記凹状部は、対向面部の端縁側に至るほど浅底に形成されていることを特徴とする射出成型体。
【請求項２】
凹状部は、Ｖ溝面形状になっていることを特徴とする請求項１記載の射出成型体。
【請求項３】
凹状部は、中央部が溝深な平滑面または円弧面形状をし、端縁に至るほど浅溝になっていることを特徴とする請求項１または２記載の射出成型体。
【請求項４】
凹状部は、一端側が行き止まり状態で溝深になり、他端側端縁に至るほど浅溝になっていることを特徴とする請求項１乃至３の何れか一つに記載の射出成型体。
【請求項５】
凹状部は、一端側が行き止まり状態で溝深な平滑面または円弧面形状をし、他端側端縁に至るほど浅溝になっていることを特徴とする請求項４に記載の射出成型体。
【請求項６】
凹状部は、対向面部端縁部を残す状態で端縁に至るほど浅溝になっていることを特徴とする請求項１乃至５の何れか一つに記載の射出成型体。
【請求項７】
被取付部材に穿設の取り付け孔に取り付けされる射出成型体の成形用金型であって、
該射出成型体は、被取付部材に対向する対向面部と、
該対向面部に向いた先端部が弾性変形をして取り付け孔端縁に係止される弾性係止片と、
該弾性係止片先端部の弾性変形を許容するため対向面部に形成された凹状部とを有して構成するにあたり、
前記凹状部は、対向面部の端縁側に至るほど浅底に形成されたものであり、
該対向面部の端縁側に至るほど浅底の凹状部は、端縁側に至るほど浅底になるよう傾斜した型面を有し、前記傾斜角以上の角度を持って型合わせ、脱型のための移動をするように設定されていることを特徴とする射出成型体の成形用金型。
【請求項８】
被取付部材に穿設の取り付け孔に取り付けされる射出成型体の成形用金型であって、
該射出成型体は、被取付部材に対向する対向面部と、
該対向面部に向いた先端部が弾性変形をして取り付け孔端縁に係止される弾性係止片と、
該弾性係止片先端部の弾性変形を許容するため対向面部に形成された凹状部とを有して構成するにあたり、
前記凹状部は、対向面部の端縁側に至るほど浅底に形成されたものであり、
該対向面部の端縁側に至るほど浅底の凹状部は、端縁側に至るほど浅底になるよう傾斜した型面を有した金型を型合わせした後、射出し、前記傾斜角以上の角度を持って脱型することで形成するようにしたことを特徴とする射出成型体の成形方法。
【発明の詳細な説明】
【技術分野】
【０００１】
本発明は、車両のボディに取り付けられるサイドウインカーやヘッドライト、さらにはサイドミラーやテールランプ等の射出成型体の技術分野に属するものである。
【背景技術】
【０００２】
一般に、この種射出成型体の例として、車両の折曲方向がボディ側面からも視認できるように設けられるランプ（燈体）としてサイドウインカーランプが知られている。
【０００３】
ところで、このようなサイドウインカーランプは、破損したり光源（電球や発光ダイオード等の発光体）が切れたりした場合に、ランプ自体の交換や光源の入れ替えをすることがあり、このようなことを考慮して、ボディに取り外し可能な状態で取り付けられている。そしてこのような取り外し可能な取り付け手段として、ランプの光源が取付けられるランプ本体のボディ対向面部に、基端部がランプ本体側に支持され、先端がボディ対向面部側に向いて自由端となっている弾性係止片を一端側に、突起状の固定係止片を他端側にそれぞれ設け、該弾性係止片をボディ側に穿設した取り付け孔の一端縁に係止した状態で該弾性係止片を弾性変形させるべくランプを一端側方向に無理押しをすることでランプを移動させ、これによって固定係止片を取り付け孔に嵌め込んだ後、前記無理押しを解除することで固定係止片を取り付け孔の他端縁に係止してランプを取り付ける所謂行って来い方式で弾性取り付けるするようにしたものがある。しかもこのようなものでは、弾性係止片の先端とランプ本体のボディ対向面部とのあいだに、弾性係止片の弾性変形を許容する間隙を確保する必要があるが、このようなものとして、ランプ本体のボディ対向面部に凹状部を形成し、ここに弾性変形した弾性係止片の先端が遊嵌状に入り込むことができるようにしたものがある（例えば、特許文献１、特許文献２参照。）。
【特許文献１】特開２００２−３６２８９号公報
【特許文献２】特開２００２−４６１４１号公報
【発明の開示】
【発明が解決しようとする課題】
【０００４】
ところで前記凹状部は、少なくとも一部が弾性係止片に覆われる（隠れる）状態でボディ対向面部に形成されるものであるため、弾性係止片方向の型抜きでは形成することができず、そこで従来、弾性係止片方向とは直交する方向で型抜きして形成していた。このため、凹状部は、ボディ対向面部の端縁に至るまで状態で形成され、この結果、ボディに取り付けた場合に凹状部が視認されることになって外観を損なうだけでなく、凹状部から雨水がボディ内に入りやすいといった問題があり、ここに本発明が解決しようとする課題がある。
【課題を解決するための手段】
【０００５】
本発明は、上記の如き実情に鑑みこれらの課題を解決することを目的として創作されたものであって、請求項１の発明は、被取付部材に穿設の取り付け孔に取り付けされる射出成型体であって、該射出成型体は、被取付部材に対向する対向面部と、
該対向面部に向いた先端部が弾性変形をして取り付け孔端縁に係止される弾性係止片と、該弾性係止片先端部の弾性変形を許容するため対向面部に形成された凹状部とを有して構成するにあたり、前記凹状部は、対向面部の端縁側に至るほど浅底に形成されていることを特徴とする射出成型体である。
請求項２の発明の凹状部は、Ｖ溝面形状になっていることを特徴とする請求項１記載の射出成型体である。
請求項３の発明は、凹状部は、中央部が溝深な平滑面または円弧面形状をし、端縁に至るほど浅溝になっていることを特徴とする請求項１または２記載の射出成型体である。
請求項４の発明の凹状部は、一端側が行き止まり状態で溝深になり、他端側端縁に至るほど浅溝になっていることを特徴とする請求項１乃至３の何れか一つに記載の射出成型体である。
請求項５の発明の凹状部は、一端側が行き止まり状態で溝深な平滑面または円弧面形状をし、他端側端縁に至るほど浅溝になっていることを特徴とする請求項４に記載の射出成型体である。
請求項６の発明の凹状部は、対向面部端縁部を残す状態で端縁に至るほど浅溝になっていることを特徴とする請求項１乃至５の何れか一つに記載の射出成型体である。
請求項７の発明は、被取付部材に穿設の取り付け孔に取り付けされる射出成型体の成形用金型であって、該射出成型体は、被取付部材に対向する対向面部と、該対向面部に向いた先端部が弾性変形をして取り付け孔端縁に係止される弾性係止片と、該弾性係止片先端部の弾性変形を許容するため対向面部に形成された凹状部とを有して構成するにあたり、前記凹状部は、対向面部の端縁側に至るほど浅底に形成されたものであり、該対向面部の端縁側に至るほど浅底の凹状部は、端縁側に至るほど浅底になるよう傾斜した型面を有し、前記傾斜角以上の角度を持って型合わせ、脱型のための移動をするように設定されていることを特徴とする射出成型体の成形用金型である。
請求項８の発明は、被取付部材に穿設の取り付け孔に取り付けされる射出成型体の成形用金型であって、該射出成型体は、被取付部材に対向する対向面部と、該対向面部に向いた先端部が弾性変形をして取り付け孔端縁に係止される弾性係止片と、該弾性係止片先端部の弾性変形を許容するため対向面部に形成された凹状部とを有して構成するにあたり、前記凹状部は、対向面部の端縁側に至るほど浅底に形成されたものであり、該対向面部の端縁側に至るほど浅底の凹状部は、端縁側に至るほど浅底になるよう傾斜した型面を有した金型を型合わせした後、射出し、前記傾斜角以上の角度を持って脱型することで形成するようにしたことを特徴とする射出成型体の成形方法である。
【発明の効果】
【０００６】
請求項１の発明とすることにより、凹状部は、外部に露出し易い対向面部の端縁に至るほど浅くなっているため、射出成型体を被取付部材に取り付けた状態で外部から視認し難いものとすることができる。この結果、射出成型体の意匠性を高めるだけでなく、凹状部から雨水がボディ内に入り難いものとすることができる。
請求項２または３の発明とすることにより、凹状部を容易に形成することができる。
請求項４または５の発明とすることにより、凹状部を一つの金型で形成することができる。
請求項６の発明とすることにより、射出成型体を被取付部材に取り付けたときに凹状部を外部から視認できないようにすることができる。
請求項７または８の発明とすることにより、被取付部材に取り付けた状態で外部から視認し難い凹状部を有する射出成型体を形成することができる。
【発明を実施するための最良の形態】
【０００７】
次に、本発明の実施の形態について、図面に基づいて説明する。図面において、１は、車両のボディＢに穿設した取り付け孔Ｂ１に着脱自在に取り付けられる長円状のサイドウインカーランプ（以下、単に「ランプ」という）であって、該ランプ１は、光源２が組込まれる光源組込み部３ａを、外部カプラを接続するためのカプラ３ｂに一連状に連結する状態で形成されたランプ本体３と、該ランプ本体３の周縁に樹脂剤４を用いて一体化されたレンズ部５とによって形成されているが、斯かるランプ１は、前記特許文献１、２に記載されるように型移動を伴う一次射出でランプ本体３とレンズ部５とを射出成形した後、二次射出で樹脂剤４を射出してランプ本体３とレンズ部５とを固着する手法を用いて容易に製造することができることはいうまでもない。
【０００８】
さて、前記ランプ本体３のボディ対向面部３ｃには、前記光源組込み部３ａを挟んでその一端側に弾性係止片３ｄが、他端側に固定係止片３ｅがそれぞれ突出形成されている。弾性係止片３ｄは、ボディ対向面部３ｃから突設された支持片部３ｆの先端から折り返し形成されたもので、先端３ｇがボディ対向面部３ｃに対向した自由端になっていて支持片部３ｆ側に向けて弾性変形できるようになっており、また前記カプラ３ｂは、光源組込み部３ａの先端から弾性係止片３ｄ側に向けて折曲形成されている。そして弾性係止片３ｄの支持片部３ｆと対向する内側面とは反対の外側面先端部には、前記取り付け孔Ｂ１の一端縁Ｂ２に係止する係止溝３ｈが形成されている。
また、固定係止片３ｅは、ランプ本体３のボディ対向面部３ｃから直接突起状に突設されたものであって、基端部外側面に取り付け孔Ｂ1の他端縁Ｂ３に係止する係止溝３ｉが形成されている。
【０００９】
そしてランプ１は、カプラ３ｂおよび光源組込み部３ａを取り付け孔Ｂ１に嵌入した状態で、弾性係止片側係止溝３ｈを取り付け孔Ｂ１の一端縁に係止してランプ１を一端方向に無理押しをすると、弾性係止片３ｄは支持片部３ｆとの折り返し部位を支点として弾性変形することになってランプ１は一端側方向に移動し、これによって固定係止片３ｅが取り付け孔Ｂ１の他端縁Ｂ３側に入り込み、そして該側の係止溝３ｉを取り付け孔他端縁Ｂ３に係止させた状態で前記無理押しを解除すると、弾性係止片３ｄが弾性復帰することになってランプ１の所謂行って来いの弾性組込みができるようになっている。
【００１０】
次に、ランプ本体３のボディ対向面部３ｃに、前記弾性変形した弾性係止片３ｄの変形代を確保するため形成される凹状部３ｊを含めた周辺形状について金型との関係も含めて詳細に説明するが、説明を容易にするため、図４(Ａ)において、光源組込み部３ａが形成される側を下側、光源２が目視される側（レンズ部５が組込まれる側）を上側、弾性係止片３ｄが形成される側を左側、固定係止片３ｅが形成される側を右側、そして紙面の前後を前後方向として便宜上の方向付けをして説明するが、本発明はこれに限定されるものでないことは言うまでもない。
【００１１】
まずランプ本体３は、レンズ部５が組込まれる側の面を成形する上金型６、カプラ３ｂの前後外面に形成される補強リブ３ｋの位置よりも下側の面を形成する下金型７、カプラ３ｂの補強リブ３ｋの位置よりも上側からボディ対向面部３ｃまでを形成する前後金型８、９、そしてカプラ３ｂの内面を形成する左側金型１０の各金型を用いて型成形されるが、これら金型のうち、上下金型６、７および左側金型１０は上下鉛直方向、左右水平方向に移動して型合わせ、脱型する汎用の金型であるため、以降の説明は省略し、本発明の実施の形態に対応する前後金型８、９を用いた構成について以降説明する。
【００１２】
前記前後金型８、９は、前後方向に向けて互いに型合わせされる金型として構成されるもので、ランプ本体３の前記対応する前後面を形成するものであるが、該前後金型８、９は、前後水平面（水平線）Ｐに対して角度αだけ型合わせ方向に下り傾斜して移動するようになっており、これによって、前記弾性係止片３ｄが弾性変形したとき、その先端３ｇが遊嵌状に嵌合して変形代になる凹状部３ｊを中央側ほど深く、前後端側ほど浅いＶ溝状に形成し、これによって従来のようにランプ本体３の前後何れか一方の端縁にまで凹状部３ｊが形成されることがないように配慮されている。凹状部３ｊのＶ溝状の傾斜面は、前記金型の移動角度αと同じ、または角度αよりも大きい角度β（β≧α）とすれば問題なく型抜きをすることができる。
【００１３】
そして前後金型８、９は、角度αだけ傾斜した型移動をするものであるため、該前後金型８、９によって形成される前後面のうち、前後方向の下側抜き面、つまり支持片部３ｆと弾性係止片３ｄとの折り返し部下面３ｌ、弾性係止片３ｄの先端上面３ｍ、係合溝下面３ｎ、カプラ上面３ｐ、カプラリブ上面３ｑ、固定係止片３ｅの係合溝下面３ｒについても、同様にして傾斜面になるが、これらの傾斜は、前記金型の移動角度の傾斜角度αと等しいか、これよりも小さい角度γ（γ≦α）を持つものとすることができ、角度γが角度αよりも大きい場合には、例えばカプラ３ｂの上側コーナー面３ｓのように円弧状にしても問題なく型抜きすることができる。
【００１４】
叙述の如く構成された本発明の実施の形態において、ランプ１は、弾性係止片３ｄの先端側の揺動移動を確保すべくボディ対向面部３ｃに凹状の凹状部３ｊを形成するにあたり、凹状部３ｊを中間部が最も深くなるように略Ｖ字状に形成したので、ボディＢに取り付けた状態で凹状部３ｊが外側に露出しないか、殆ど露出しないものとすることができる。この結果、意匠性の高いものにできるうえ、凹状部３ｊから浸水することを防止することができる。
【００１５】
尚、本発明は前記実施の形態に限定されるものでないことは勿論であり、例えば、本実施の形態では、ランプ１を射出成型で形成したが、電磁溶着、接着等であっても形成することができる。
【００１６】
また、本実施の形態の凹状部３ｊは、図４（Ｃ）に示すようにランプ本体３の端縁に至る位置まで形成したが、例えば図７（Ａ）〜（Ｇ）に示すように、凹状部を、ボディ対向面部３ｃの端縁部１１を残して形成することにより、ボディＢに取り付けた場合に、外部への露出をより少なくすることができる。これらについて以下、説明する。
【００１７】
凹状部１２、１３、１４、１５は、図７（Ａ）、（Ｂ）、（Ｃ）、（Ｄ）に示すように、Ｖ字状に形成した傾斜面１２ａ、該傾斜面１２ａの中央部分（角部分）を水平状に形成した水平状部１３ａ、前記中央部分を円弧状に形成した円弧状部１４ａとしたものである。また凹状部１５は、図７（Ｄ）に示すように、底面を円弧状に形成した円弧状底面１５ａとしたものである。そしてこれら凹状部１２、１３、１４、１５は、金型８、９の型抜きを配慮して、金型８、９の型抜き方向の最大傾斜角度が角度αと同じ又は小さく設定されており、例えば、図７（Ｄ）に示す凹状部１５の最大角度となる表面部近くの傾斜角度θは、角度α以下に設定されている。
【００１８】
さらに、凹状部１６、１７、１８は、図７（Ｅ）、（Ｆ）、（Ｇ）に示すように、一端（前側）を行き止まり状に深溝となる溝深部１６ａ、１７ａ、１８ａを形成したものであって、凹状部１６は一端側から深溝部１６ａに至って深底（深溝）になるように断面直線状に傾斜する傾斜面を形成したものであり、凹状部１７は一端側に至る傾斜面を円弧状に形成したものであり、また凹状部１８は深溝部１８ａを水平状に形成したものであり、このようにすることによって、凹状部１６、１７、１８を一端側から視認し難いランプ１を確実に形成とすることができると上、凹状部１６、１７、１８の傾斜方向に移動する金型だけで凹状部１６、１７、１８を形成することができる。
【図面の簡単な説明】
【００１９】
【図１】ランプをボディに取り付けた状態の正面断面図および一部拡大図である。
【図２】ランプをボディに取り付けた状態の正面図および一部拡大図である。
【図３】（Ａ）、（Ｂ）はそれぞれランプの底面図、部分斜視図である。
【図４】（Ａ）、（Ｂ）、（Ｃ）はそれぞれハウジングの正面図、ハウジングの左側面図、図（Ａ）のＸ−Ｘ断面図である。
【図５】型合わせして射出成型した状態のランプ本体を図４（Ａ）のＹ−Ｙで断面した左側面参考図である。
【図６】（Ａ）、（Ｂ）はそれぞれ図５のＳ、Ｔの部分拡大図である。
【図７】（Ａ）〜（Ｇ）はそれぞれ第一の実施の形態の凹状部およびその他例を示すランプ本体部の一部左側面断面図である。
【符号の説明】
【００２０】
１                        ランプ
２                        光源
３                        ランプ本体
３ｃ                      ボディ対向面部
３ｄ                      弾性係止片
３ｆ                      支持片部
３ｇ                      先端
３ｊ                      凹状部
４                        樹脂剤
５                        レンズ部
８                        前金型
９                        後金型
１１                      端縁部
１２、１３、１４、１５    凹状部
１６、１７、１８          凹状部
１６ａ、１７ａ、１８ａ    溝深部
Ｂ                        ボディ
Ｂ１                      取り付け孔
【図１】
2008062870.tif 000003
【図２】
2008062870.tif 000004
【図３】
2008062870.tif 000005
【図４】
2008062870.tif 000006
【図５】
2008062870.tif 000007
【図６】
2008062870.tif 000008
【図７】
2008062870.tif 000009